(57)【要約】【課題】ケース全体の形成材料を変更することなく、ケースとシャワーヘッドのそれぞれ対向する部分の表面の傷付きを防止する。【解決手段】吐水を行うシャワーヘッド４をシャワーヘッド収納部２０を有するケース５内部に着脱自在に収納する。シャワーヘッド収納部２０におけるシャワーヘッド４と対向する部分、及び、シャワーヘッド４におけるシャワーヘッド収納部２０と対向する部分を、それぞれ、ケース５の形成材料よりも硬い材料で形成する。【選択図】図１
2010270456.tif 000002
【特許請求の範囲】
【請求項１】
吐水を行うシャワーヘッドをシャワーヘッド収納部を有するケース内部に着脱自在に収納したシャワーヘッドの収納構造であって、上記シャワーヘッド収納部におけるシャワーヘッドと対向する部分、及び、シャワーヘッドにおけるシャワーヘッド収納部と対向する部分を、それぞれ、上記ケースの形成材料よりも硬い材料で形成したことを特徴とするシャワーヘッドの収納構造。
【請求項２】
上記シャワーヘッド収納部におけるシャワーヘッドと対向する部分が、シャワーヘッド収納部の内面に沿って嵌め込まれる前方及び下方に開口した中空形状のバンパー部材で構成されており、バンパー部材の前端縁に上記ケースの前面部に対して前方から引掛係止される引掛係止部を設け、バンパー部材の後端部に、シャワーヘッドのホースを案内保持するホースホルダに対して固定ネジで固定される固定ボスを突設させてなることを特徴とする請求項１記載のシャワーヘッドの収納構造。
【発明の詳細な説明】
【技術分野】
【０００１】
本発明は、シャワーヘッドの収納構造に関し、詳しくは吐水を行うシャワーヘッドと、吐水の流量と温度の調節を行う水栓本体とを、ホースを介して接続したシャワーヘッドの収納構造に関するものである。
【背景技術】
【０００２】
従来から、シャワーヘッドを出し入れ自在に収納するヘッド保持部を水平カウンターの下方に設けたシャワー装置が知られている（例えば、特許文献１参照）。
【０００３】
この従来例では、洗顔などの作業時にシャワーヘッドが邪魔になるなど、使い勝手が悪いものである。
【０００４】
他の従来例として、シャワーヘッドを洗面化粧台のバックパネルの一部に設けた取付孔の内部に取り出し自在に収納するようにしたシャワー装置が知られている（例えば、特許文献２参照）。
【０００５】
ところがこの従来例では、シャワーヘッドをバックパネルの取付孔から出し入れするたびに、バックパネルの取付孔周辺部分にシャワーヘッドが繰り返し衝突して、バックパネルの表面部分或いはシャワーヘッドの表面部分に傷が付きやすくなり、外観が損なわれるという問題がある。
【先行技術文献】
【特許文献】
【０００６】
【特許文献１】特開２００７−１１７４７６号公報
【特許文献２】特開２００８−５５１１３号公報
【発明の概要】
【発明が解決しようとする課題】
【０００７】
本発明は上記の従来の問題点に鑑みて発明したものであって、ケース全体の形成材料を変更することなく、ケースとシャワーヘッドとの対向する部分の表面の傷付きを防止できるようにしたシャワーヘッドの収納構造を提供することにあり、さらにシャワーヘッド収納部側に設けられるバンパー部材の前端縁の内反りや変形の発生を防止した状態で当該バンパー部材の外れを防止できるようにしたシャワーヘッドの収納構造を提供することにある。
【課題を解決するための手段】
【０００８】
前記の課題を解決するために、吐水を行うシャワーヘッド４をシャワーヘッド収納部２０を有するケース５内部に着脱自在に収納したシャワーヘッドの収納構造であって、上記シャワーヘッド収納部２０におけるシャワーヘッド４と対向する部分、及び、シャワーヘッド４におけるシャワーヘッド収納部２０と対向する部分を、それぞれ、ケース５の形成材料よりも硬い材料で形成したことを特徴としている。
【０００９】
このような構成とすることで、ケース５に設けたシャワーヘッド収納部２０からシャワーヘッド４を出し入れする際にシャワーヘッド４とシャワーヘッド収納部２０とが繰り返し衝突しても、ケース５とシャワーヘッド４との互いに対向する部分の表面の傷付きを防止できる。
【００１０】
また、上記シャワーヘッド収納部２０におけるシャワーヘッド４と対向する部分が、シャワーヘッド収納部２０の内面に沿って嵌め込まれる前方及び下方に開口した中空形状のバンパー部材２５で構成されており、バンパー部材２５の前端縁２５ａに、ケース５の前面部５ａに設けた凹溝２６ａに対して前方から引掛係止される引掛係止部２６を設け、バンパー部材２５の後端部２５ｂに、シャワーヘッド４のホース２３を案内保持するホースホルダ２１に対して固定ネジ１６で固定される固定ボス７０を突設させてなるのが好ましく、この場合、バンパー部材２５の前端縁２５ａがケース５の凹溝２６ａに引掛係止されることで、バンパー部材２５の前端縁２５ａに内反りや変形が生じるのを防止できるようになり、一方、バンパー部材２５の後端部２５ｂをホースホルダ２１を利用して固定できるので、バンパー部材２５の外れを防止できる。また引掛係止部２６を備えることで固定ネジ１６による固定箇所を削減でき、バンパー部材２５の取り付け作業がはかどる。
【発明の効果】
【００１１】
本発明は、シャワーヘッド収納部とシャワーヘッドとの互いに対向する部分をケースの形成材料よりも硬い材料で形成したことにより、ケース全体の形成材料を変更することなく、シャワーヘッド収納部とシャワーヘッドとのそれぞれの表面の傷付きを防止できるものである。
【００１２】
また本発明は、引掛係止部と固定ネジとの組み合わせにより、バンパー部材の前端縁の内反りや変形の発生を防止した状態でバンパー部材の外れを防止できるものである。
【図面の簡単な説明】
【００１３】
【図１】本発明の一実施形態を示す斜視図であり、（ａ）はシャワーヘッドをケースのシャワーヘッド収納部に収納した状態を示し、（ｂ）はシャワーヘッドを取り出した状態を示す図である。
【図２】同上の混合水栓を取り付けた洗面化粧台の正面図である。
【図３】同上の混合水栓を取り付けた洗面化粧台の側面図である。
【図４】（ａ）は同上のバンパー部材とケースの分解斜視図であり、（ｂ）はバンパー部材の取り付け状態を説明する一部破断した斜視図である。
【図５】同上のシャワーヘッドにホースを接続した状態の断面図である。
【図６】（ａ）は同上のシャワーヘッドの斜視図であり、（ｂ）はヘッド本体とヘッドカバーの分解斜視図であり、（ｃ）はヘッド本体に対してヘッドカバーを取り付けた状態の断面図である。
【発明を実施するための形態】
【００１４】
以下、本発明を添付図面に示す実施形態に基いて説明する。
【００１５】
本発明のシャワーヘッド４は、例えば図２、図３に示すように、洗面化粧台１０に設けた混合水栓１に取り付けられている。洗面化粧台１０は、前面に照明ランプ１１及びミラー１２を有し、内部に収納棚（図示せず）を有するミラーキャビネット１３と、上面に洗面ボウル１５を設けた下部キャビネット１４とを備えたもので、ミラーキャビネット１３の背面板１８に対して、混合水栓１を収納するケース５が取り付けられている。
【００１６】
上記ケース５の前面部５ａは、図４に示すように、真正面向きよりも斜め上向きに傾斜しており、その中央部に人感センサーの情報に基づく自動吐水モードと操作レバー２による手動吐水モードとを切り替える切替スイッチ１９が設けられている。切替スイッチ１９の片側に、ケース５の下方に突出した操作レバー２の操作部２ｂの操作により吐水の流量と温度をそれぞれ調節する水栓カートリッジ（図示せず）が組み込まれており、反対側に、シャワーヘッド４を着脱自在に収納するシャワーヘッド収納部２０が設けられている。
【００１７】
ここで本発明においては、シャワーヘッド収納部２０におけるシャワーヘッド４と対向する部分、及び、シャワーヘッド４におけるシャワーヘッド収納部２０と対向する部分を、それぞれ、ケース５の形成材料よりも硬い材料で形成してある。
【００１８】
本例では、シャワーヘッド収納部２０の内面に、図４に示すようにバンパー部材２５が取り付けられる。
【００１９】
一方、シャワーヘッド４は、図５、図６に示すように、ヘッド本体２８と、ヘッド本体２８の外周を覆うヘッドカバー２７とで構成されている。ヘッド本体２８には、吐水口４ｂと、直流水とシャワー水を切替えるハンドル部４ａと、ホース２３との接続部とが設けられている。ヘッドカバー２７は、ヘッド本体２８の外周側面を覆うもので、ストップリング２９を用いてヘッド本体２８に係止されている。
【００２０】
ここにおいて、上記バンパー部材２５及び上記ヘッドカバー２７は、それぞれ、ケース５の形成材料よりも硬い材料で形成されている。例えば、ケース５が軟質樹脂の成形材料の場合、バンパー部材２５及びヘッドカバー２７は、当該成形材料よりも硬い硬質樹脂材料或いはアルミなどの軽金属材料等で形成されている。
【００２１】
上記バンパー部材２５の前端縁２５ａには、側面断面コ字状に折り返した引掛係止部２６が設けられ、この引掛係止部２６がケース５の前面部５ａに設けた前方に開口した凹溝２６ａに対して前方から引掛係止されるようになっている。
【００２２】
バンパー部材２５の後端部２５ｂにはホースホルダ２１が貫通する貫通孔２５ｃが開口しており、貫通孔２５ｃの外周側に後方に向かって固定ボス７０が突設されており、固定ボス７０がシャワーヘッド収納部２０の後壁面２０ａに設けたボス挿通穴２０ｂを貫通してホースホルダ２１の外周のフランジ部２１ａに向けて突出している。図４に示す例では、シャワーヘッド収納部２０の後壁面２０ａとフランジ部２１ａとの間にはパッキン５０が介在されている。フランジ部２１ａの後方から固定ネジ１６がフランジ部２１ａとパッキン５０とをそれぞれ貫通して上記固定ボス７０にネジ込まれることにより、バンパー部材２５の後端部２５ｂがシャワーヘッド収納部２０の後壁面２０ａを介してホースホルダ２１に固定されている。
【００２３】
しかして、上記構成の洗面化粧台１０のミラーキャビネット１３の下端面に沿わせて取り付けられるケース５のシャワーヘッド収納部２０内部にシャワーヘッド４を納まりよく収納できる。しかもシャワーヘッド収納部２０からシャワーヘッド４を出し入れする際は、バンパー部材２５とヘッドカバー２７とが互いに衝突するが、これらはケース５の形成材料よりも硬い材料でそれぞれ形成されているので、シャワーヘッド収納部２０やヘッド本体２８の表面に傷が付いたり、磨耗したりすることを防止でき、良好な外観を長期にわたって維持できるものである。
【００２４】
しかもバンパー部材２５は下方にも開口しているため、使用後のシャワーヘッド４をバンパー部材２５内部にセットしたときは、シャワーヘッド４の水滴が下方に滴下して洗面ボウル１５に流れ落ちるようになる。従って、シャワーヘッド４の水滴がホース２３を伝ってケース５内部や背面板１８の背後に流れ落ちることがなく、ケース５内部や背面板１８の背後が水滴で汚れたり、不潔になったりすることがない。
【００２５】
また本例では、薄肉形状のバンパー部材２５の前端縁２５ａに設けた引掛係止部２６を、ケース５の前面部５ａの凹溝２６ａに対して前方から引掛係止しているので、特にシャワーヘッド４が当たりやすいバンパー部材２５の前端縁２５ａの内反りや変形の発生を防止できるものであり、一方、バンパー部材２５の後端部２５ｂをシャワーヘッド収納部２０の後壁面２０ａ（図４（ｂ））を介してホースホルダ２１に対してネジ固定しているので、バンパー部材２５の外れを防止できる。また引掛係止部２６を備えることで固定ネジ１６による締結箇所を削減できるので、バンパー部材２５の取り付け作業を簡単に行うことができる。
【００２６】
さらに、ケース５及びヘッド本体２８は軟質樹脂材料等で比較的安価に形成できる。そのうえ、バンパー部材２５は固定ネジ１６を外すだけで簡単にシャワーヘッド収納部２０から取り出すことができ、ヘッドカバー２７はストップリング２９を取り外すだけで簡単にヘッド本体２８から取り外すことができるので、バンパー部材２５及びヘッドカバー２７の交換やメンテナンスにもコストがかからないものである。
【００２７】
さらに本例では、ミラーキャビネット１３の背面板１８に対してケース５を取り付けているので、既存の洗面ボウル１５側に従来のようなカラン取付穴やレバー取付穴等を設ける必要がなくなる利点もある。
【符号の説明】
【００２８】
４  シャワーヘッド
５  ケース
５ａ  前面部
１６  固定ネジ
２０  シャワーヘッド収納部
２１  ホースホルダ
２３  ホース
２５  バンパー部材
２５ａ  前端縁
２５ｂ  後端部
２６  引掛係止部
２６ａ  凹溝
７０  固定ボス
【図１】
2010270456.tif 000003
【図２】
2010270456.tif 000004
【図３】
2010270456.tif 000005
【図４】
2010270456.tif 000006
【図５】
2010270456.tif 000007
【図６】
2010270456.tif 000008